(57)【特許請求の範囲】
【請求項１】
電気ー機械振動変換器を内蔵し、足裏に配置されるマッサージ器と、足首に装着するバンドと、このバンドの前側に固定され、 4本の紐が上下動可能に挿通固定することができる紐取付け具と、前記バンドの後側に固定され、２本の紐が上下動可能に挿通固定することができる紐取付け具と、足指間に挿入するように一端側が前記マッサージ器の前端側に取付けられ、他端が前記前側の紐取付け具に挿通された４本の紐と、足の後方側面に位置するように一端側が前記マッサージ器の後方側に取付けられ、他端が前記後側の紐取付け具に挿通された２本の紐とを備えたことを特徴とする足マッサージ器。
【請求項２】
前記後方側の２本の紐には、球体が上下動可能に取付けられていることを特徴とする請求項１記載の足マッサージ器。
【請求項３】
電気ー機械振動変換器を内蔵し、足裏に配置されるマッサージ器と、このマッサージ器の前端側に設けられた足指間装着手段と、前記マッサージ器の後方側に設けられた本体後方保持手段とを備え、前記足指間装着手段は、前記マッサージ器の前端側に横方向に固定された横方向ガイド軸と、この横方向ガイド軸に摺動自在に嵌挿され、足指の方向に伸びた足指方向ガイド軸と、この足指方向ガイド軸に摺動自在に嵌挿され、足の甲側に傾斜して伸びた足指付け根部材と、この足指付け根部材を足の付け根側に付勢するばねとからなり、前記本体後方保持手段は、前記マッサージ器の後端側に横方向に摺動自在に設けられたガイド軸と、このガイド軸に摺動自在に嵌挿され足首の方向に伸びた本体保持部材と、この本体保持部材を足の側面方向に付勢するばねとからなることを特徴とする足マッサージ器。
【請求項４】
前記本体後方保持手段の前記本体保持部材は、前記ガイド軸に固定された本体側保持部材と、この本体側保持部材に摺動自在に嵌挿された足側保持部材とからなることを特徴とする請求項３記載の足マッサージ器。
【発明の詳細な説明】
【技術分野】
【０００１】
本発明は、足首より下方のツボ (壺）をマッサージする足マッサージ器に関する。
【背景技術】
【０００２】
足首より下方のツボとして、例えば八風（はっぷう）、土踏まず、僕参（ボクシン）、水泉（スイセン）等が挙げられる。八風は、足の指と指の付け根で接するところで、両右合わせて全部で八つで、これを総称して八風と呼ぶが、古来より、冷えとそれによる痛み、痺れを取るツボとして広く知られている。高血圧対策のツボとしても有名であるが、ここへの刺激はとりわけ足部への血流を促し、そうして足部への熱の放散により体温低下作用を作るという点で、睡眠誘導への条件つくりとして非常に適している。土踏まずへの刺激は更にその効果を増幅させる。僕参は、踵後側部分の陥おう部で足首の裏側における内側 (親指側）にあり、この部分の刺激は、腰痛、足関節痛等に効果がある。水泉は、踵後側部分の陥おう部で足首の裏側における外側（小指側）にあり、この部分の刺激は、婦人科疾患、生理不順、冷え性に効果がある。
【０００３】
従来、小型簡便であり、土踏まず及び八風の足マッサージ器として、例えば特許文献１及び２が挙げられる。またマッサージに使用する電気ー機械振動変換器として種々のものが提案されているが、例えば特許文献３及び４が挙げられる。
【０００４】
【特許文献１】特開平６−３１２００７９号公報
【特許文献２】特開２００２−３０６５６８号公報
【特許文献３】特開昭５４−１５６６２６号公報
【特許文献４】特許第２９３８２１０号（特開平４−２９７２６０８号）公報
【０００５】
特許文献１は次のような構造となっている。足乗台上には、各足指の間に挿入させる４個の横突起（足指間マッサージ突起）と、足裏の所定位置に設けられた複数個の縦突起（足裏マッサージ突起）とを有し、足を足乗台に固定バンドで固定するようになっている。
【０００６】
特許文献２は次のような構造となっている。箱型状の筐体と、この筐体の上面に配置した踵板と、この踵板により一端側を回動可能に支持された土踏まず板と、土踏まず板の前側に配置した足の指の間に挿入される４本のマッサージ棒と、前記土踏まず板を上下、前後に振動駆動する土踏まず板駆動部と、前記４本のマッサージ棒を連動させて回動駆動するマッサージ棒駆動部とを有している。
【発明の開示】
【発明が解決しようとする課題】
【０００７】
本願出願人は鍼灸師として、臨床の場で夏は冷房、冬は寒さで冷えやぬくみ、或いはそれゆえの入眠困難に悩む方が極めて多いことをいやというほど実感してきた。体を動かす習慣に欠け、座り仕事が殆どの現代人である。特に女性は切実で、長く経過すれば不妊の重要な原因にもなりかえない。従来、冷え、むくみ、入眠困難対策として八風に効果的に作用し、手軽にしかも装着したまま眠って使用できるものは殆ど存在しなかった。
【０００８】
特許文献１は、足に装着して使用するので、どのような姿勢、例えば寝た状態でも使用できる特徴を有している。しかし、足乗台上に単に足指間に挿入されるマッサージ突起を設けた構造であるので、足の指と指の付け根を確実に刺激することができなく、八風の効果が低い。
【０００９】
特許文献２は、足を筐体の上面の踵板と土踏まず板に載置するタイプであるので、特定の姿勢でないと使用できなく、特許文献１のような効果は得られない。また特許文献１と同様に、マッサージ棒に足の指間を単に挿入するのみであるので、足の指と指の付け根を確実に刺激することができなく、八風の効果が低い。
【００１０】
また特許文献１及び２では、僕参、水泉のマッサージについては全く考慮されていない。
【００１１】
本発明の第１の課題は、小型簡便で手軽に足に装着でき、どのような姿勢、即ち眠った状態でも使用できると共に、足指間の付け根を確実に刺激でき、八風に優れた効果を奏する足マッサージ器を提供することにある。
【００１２】
本発明の第２の課題は、僕参及び水泉にもマッサージ効果を有する足マッサージ器を提供することにある。
【課題を解決するための手段】
【００１３】
上記課題を解決するための本発明の請求項１は、電気ー機械振動変換器を内蔵し、足裏に配置されるマッサージ器と、足首に装着するバンドと、このバンドの前側に固定され、４本の紐が上下動可能に挿通固定することができる紐取付け具と、前記バンドの後側に固定され、２本の紐が上下動可能に挿通固定することができる紐取付け具と、足指間に挿入するように一端側が前記マッサージ器の前端側に取付けられ、他端が前記前側の紐取付け具に挿通された４本の紐と、足の後方側面に位置するように一端側が前記マッサージ器の後方側に取付けられ、他端が前記後側の紐取付け具に挿通された２本の紐とを備えたことを特徴とする。
【００１４】
上記課題を解決するための本発明の請求項２は、上記請求項１において、前記後方側の２本の紐には、球体が上下動可能に取付けられていることを特徴とする。
【００１５】
上記課題を解決するための本発明の請求項３は、電気ー機械振動変換器を内蔵し、足裏に配置されるマッサージ器と、このマッサージ器の前端側に設けられた足指間装着手段と、前記マッサージ器の後方側に設けられた本体後方保持手段とを備え、前記足指間装着手段は、前記マッサージ器の前端側に横方向に固定された横方向ガイド軸と、この横方向ガイド軸に摺動自在に嵌挿され、足指の方向に伸びた足指方向ガイド軸と、この足指方向ガイド軸に摺動自在に嵌挿され、足の甲側に傾斜して伸びた足指付け根部材と、この足指付け根部材を足の付け根側に付勢するばねとからなり、前記本体後方保持手段は、前記マッサージ器の後端側に横方向に摺動自在に設けられたガイド軸と、このガイド軸に摺動自在に嵌挿され足首の方向に伸びた本体保持部材と、この本体保持部材を足の側面方向に付勢するばねとからなることを特徴とする。
【００１６】
上記課題を解決するための本発明の請求項４は、上記請求項３において、前記本体後方保持手段の前記本体保持部材は、前記ガイド軸に固定された本体側保持部材と、この本体側保持部材に摺動自在に嵌挿された足側保持部材とからなることを特徴とする。
【発明の効果】
【００１７】
請求項１によれば、マッサージ器の振動は足指間の紐に伝達され、紐は足指間の付け根に圧接しているので、付け根を確実に刺激することができる。また足に装着して用いるのでどのような姿勢、例えば寝た状態でも使用できる。請求項２のように、後方の紐に球体を設けると、マッサージ器の振動は紐にも伝達され、球体が僕参及び水泉のツボを刺激することができる。
【００１８】
請求項３によれば、足指付け根部材はばねの付勢力で足指間の付け根に圧接しているので、付け根を確実に刺激することができる。また足指付け根部材は足指間の付け根で圧接して足の前側を保持し、本体保持部材は足の後側の側面に圧接して足の後側を保持し、マッサージ器は足裏に装着されるので、どのような姿勢、例えば寝た状態でも使用できる。請求項４によれば、足側保持部材はばねの付勢力で僕参及び水泉に圧接しているので、ツボを確実に刺激することができる。
【発明を実施するための最良の形態】
【００１９】
本発明の足マッサージ器の一実施の形態を図１乃至図５により説明する。本実施の形態は、足裏１に装着するマッサージ器１０と、足首２に装着するバンド２０と、バンド２０の前方に取付けされた2 個の紐取付け具３０、３０及びバンド２０の後方に取付けられた紐取付け具３１と、マッサージ器１０の前端部に取付けられ、紐取付け具３０、３０に挿通されて固定された紐４０と、マッサージ器１０の後端部に取付けられ、紐取付け具３１に挿通して固定された紐４１とからなっている。以下、各構成について説明する。
【００２０】
マッサージ器１０は図１及び図２示すように、特許文献３及び４と同様の構造よりなる電気ー機械振動変換器１１を有し、ポリウレタン等よりなる被覆材１２で被覆されており、被覆材１２（マッサージ器１０）の上面は足裏１に沿った形状に形成されている。被覆材１２（マッサージ器１０）の前端の上方側及び後端の上方側には、軸１３、１４が固定されている。軸１３の部分には、足指間に対応して足指間より広い４個の切り溝１５が形成されている。軸１４の部分には、足の両側に対応して２個の切り溝１６が形成されている。
【００２１】
バンド２０は、図１乃至図４に示すように、前側バンド部２１と後側バンド部２２とからなっている。前側バンド部２１の両端部の前面には面ファスナー２３が固定されており、後側バンド部２２の両端部の後面には面ファスナー２３に係合する面ファスナー２４が固定されている。本実施の形態は、バンド２０を前側バンド部２１と後側バンド部２２の２個で構成したが、１個のバンド部で構成し、両端部に面ファスナーを固定してもよい。またバンド２０は、長さ調整可能な周知のバンドでもよい。
【００２２】
紐取付け具３０と３１は同じ構造よりなっており、2 個の紐を挿通して固定することができる。前側バンド部２１には2 個の紐取付け具３０、３０が固定されており、４本の紐を挿通して固定することができる。後側バンド部２２には紐取付け具３１が固定されている。紐取付け具３０、３１は、図５に示すように、固定駒３２と、この固定駒３２に上下動可能に装着された可動駒３３とからなり、可動駒３３はばね３４で外側に付勢されている。固定駒３２及び可動駒３３は同じ大きなの紐挿入穴３４、３５を有し、可動駒３３をばね３４の付勢力に抗して押し込んだとき、紐挿入穴３５が紐挿入穴３４に対応するようになっている。また紐挿入穴３４、３５に紐を挿入しない場合、可動駒３３が固定駒３２より抜けないように、可動駒３３には固定駒３２の紐挿入穴３４に係合する突起３６が形成されている。固定駒３２のバンド２０（前側バンド部２１、後側バンド部２２）との固定部は、足首２に馴染むように円弧に形成されている。
【００２３】
図１及び図２に示すように、軸１３の４個の切り溝１５部分には、それぞれ紐４０の一端が取付けられ、紐４０の他端は紐取付け具３０、３０に挿入されている。軸１４の２個の切り溝１６部分には、それぞれ紐４１の一端が取付けられ、紐４１の他端は紐取付け具３１に挿入されている。また紐４１には球体４２が取付けられている。
【００２４】
次に作用について説明する。紐４０、４１は予め紐取付け具３０、３１に挿入しておかなくてもよいが、挿入しておくと全ての部品が一体となるので部品の紛失が防止される。この場合、軸１３、１４から紐取付け具３０、３１までの紐４０、４１の長さはできるだけ長くしておく。そこで、マッサージ器１０に足を乗せ、足指間に紐４０を挿入した状態で、また紐４１を足の後方側面に位置させた状態でバンド２０を足首２に取付ける。即ち、足首２の前側に前側バンド部２１を当て、後側に後側バンド部２２を当て、前側バンド部２１と後側バンド部２２とを面ファスナー２３、２４で固定する。これにより、バンド２０が足首２に装着される。
【００２５】
次に紐取付け具３０、３０の可動駒３３を押す。これにより可動駒３３の紐挿入穴３５が固定駒３２の紐挿入穴３４に対応して紐挿入穴３４、３５は大きくなり、紐４０の締め付けを解除する。そこで、紐４０を上方に引っ張ると、紐４０は足指間の付け根に確実に圧接する。紐取付け具３１についても同様に可動駒３３を押すと、可動駒３３の紐挿入穴３５が固定駒３２の紐挿入穴３４に対応して紐挿入穴３４、３５は大きくなり、紐４１の締め付けを解除する。そこで、紐４１を上方に引っ張ると、紐４１は足の後方側面に接する。この場合球体４２を上下に移動させて僕参及び水泉のツボに位置させる。これにより、マッサージ器１０は足裏１に装着される。
【００２６】
足裏１のスイッチをオンにすると、電気ー機械振動変換器１１の振動は被覆材１２に伝達され足裏１を刺激する。また被覆材１２の振動は紐４０に伝達され、紐４０は足指間の付け根に圧接しているので、付け根を確実に刺激することができる。また球体４２を設けると、被覆材１２の振動は紐４１にも伝達され、球体４２が僕参及び水泉のツボを刺激することができる。また足に装着して用いるのでどのような姿勢、例えば寝た状態でも使用できる。
【００２７】
なお、本実施の形態においては、前側バンド部２１に２個の紐取付け具３０、３０を設けたが、４本の紐４０を挿通する４個の紐挿入穴３４が設けられた１個の紐取付け具でもよいことは言うまでもない。しかし、本実施の形態のように２個の紐取付け具３０、３０を設けると、紐取付け具３１と共通にできるので、製作のコストダウンが図られ好ましい。
【００２８】
本発明の足マッサージ器の他の実施形態を図６及び図７により説明する。マッサージ器１０は、前記実施の形態と同様に、電気ー機械振動変換器１１を有し、ポリウレタン等よりなる被覆材１２で被覆されており、被覆材１２（マッサージ器１０）の上面は足裏１に沿った形状に形成されている。またマッサージ器１０の前端部は、足に装着した時に足指間の付け根より突出しないように形成されている。マッサージ器１０には、前端側に足指間装着手段５０が設けられ、後端側に本体後方保持手段６０が設けられている。
【００２９】
まず足指間装着手段５０の構成について説明する。被覆材１２の前端側の上方側には、角形状よりなる横方向ガイド軸５１が横方向に固定されており、被覆材１２の横方向ガイド軸５１部分には、足指間に対応して足指間より広い４個の切り溝５２が形成されている。横方向ガイド軸５１の切り溝５２部分には、足指の方向に伸びた角形状よりなり切り溝５２より幅小の足指方向ガイド軸５３が横方向ガイド軸５１に摺動自在に嵌挿されている。足指方向ガイド軸５３にはスライド駒５４が摺動自在に嵌挿されており、スライド駒５４には足の甲側に傾斜して伸びた足指付け根部材５５が固定されている。なお、図 7においては、足指付け根部材５５は、足指部分より上方を図示省略して断面で示した。足指方向ガイド軸５３の先端にはストッパ５６が固定されており、スライド駒５４とストッパ５６間の足指方向ガイド軸５３部にはばね５７が配設されている。
【００３０】
次に本体後方保持手段６０の構成について説明する。被覆材１２の後端側の上方側には横方向にガイド穴６１が設けられ、ガイド穴６１には両側よりそれぞれガイド軸６２、６２が回転及び摺動自在に嵌挿されている。ガイド軸６２の端部には、駒６３が固定されており、駒６３にはパイプよりなる本体側保持部材６４が固定されている。本体側保持部材６４には足側保持部材６５が摺動自在に嵌挿されており、足側保持部材６５は本体側保持部材６４にねじ６６で固定されている。本体側保持部材６４及び足側保持部材６５は、足の後方の側面側に伸びており、足側保持部材６５の先端には球体６７が固定されている。駒６３にはばね掛けピン６８が固定されており、両側のばね掛けピン６８、６８にはばね６９が設けられている。これにより、本体側保持部材６４、６４及び足側保持部材６５、６５は閉じる方向、
即ち足側に付勢されている。
【００３１】
次に作用について説明する。本体側保持部材６４及び足側保持部材６５を外側に開いた状態で、足指間に足指付け根部材５５を挿入する。足指方向ガイド軸５３は、切り溝５２より幅小に形成されているので、足指方向ガイド軸５３が横方向ガイド軸５１に沿って摺動することができる。これにより、足指間に足指付け根部材５５を挿入した時、使用する人の足指間の幅に対応できる。また足指方向ガイド軸５３にはスライド駒５４及び足指付け根部材５５が指方向に摺動自在で、かつばね５７で足の甲側に付勢されているので、ばね５７の付勢力に抗して足指間を足指付け根部材５５に当てると、足指付け根部材５５は足指間の付け根に圧接する。次に開いた状態にある本体側保持部材６４、６４及び足側保持部材６５、６５の手を離すと、本体側保持部材６４、６４及び足側保持部材６５、６５はばね６９、６９の付勢力で足の側面に圧接する。またねじ６６を緩めて足側保持部材６５を上下動させる。即ち、本体側保持部材６４及び足側保持部材６５はガイド穴６１に回転及び摺動自在であり、足側保持部材６５は高さ位置を調整できるので、球体６７を僕参及び水泉のツボに位置させることができる。また本体側保持部材６４、足側保持部材６５及び球体６７はばね６９で足側に付勢されているので、球体６７はツボに圧接される。
【００３２】
マッサージ器１０のスイッチをオンにすると、電気ー機械振動変換器１１の振動は横方向ガイド軸５１、足指方向ガイド軸５３、スライド駒５４を介して足指付け根部材５５に伝達される。足指付け根部材５５はばね５７の付勢力で足指間の付け根に圧接しているので、付け根を確実に刺激することができる。また電気ー機械振動変換器１１の振動はガイド穴６１、駒６３、本体側保持部材６４、足側保持部材６５を介して球体６７に伝達される。球体６７はばね６９の付勢力で僕参及び水泉に圧接しているので、ツボを確実に刺激することができる。また足指付け根部材５５は足指間の付け根で圧接して足の前側を保持し、球体６７は足の後側の側面に圧接して足の後側を保持しているので、マッサージ器１０は足裏１に装着されるので、どのような姿勢、例えば寝た状態でも使用できる。
【００３３】
なお、本実施の形態においては、僕参及び水泉を刺激するようにしたが、僕参及び水泉を刺激しない場合には、本体側保持部材６４及び足側保持部材６５は一体で伸び縮みしないようにしてもよい。また球体６７は設けなくて足側保持部材６５の先端を丸く形成しても良い。また横方向ガイド軸５１及び足指方向ガイド軸５３を角形状に形成したが丸形状に形成しても良い。しかし、本実施の形態のように形成すると、足指方向ガイド軸５３の姿勢、即ち足指付け根部材５５の姿勢が安定して好ましい。また図示しないがマッサージ器１０にタイマーを内蔵又は外付けするのが好ましいことは言うまでもない。またガイド軸６２は回転及び摺動自在に構成したが、摺動自在のみでも良い。
【図面の簡単な説明】
【００３４】
【図１】本発明の足マッサージ器の一実施の形態を示し、足に装着した状態の側面図である。
【図２】甲側より見た図である。
【図３】前側バンド部を示し、（ａ）は平面図、（ｂ）は正面図である。
【図４】後側バンド部を示し、（ａ）は平面図、（ｂ）は正面図である。
【図５】紐取付け具を示し、（ａ）は平面図、（ｂ）は側面図である。
【図６】本発明の足マッサージ器の他の実施の形態を示し、足に装着した状態の側面図である。
【図７】甲側より見た図である。
【符号の説明】
【００３５】
１    足裏
２    足首
１０    マッサージ器
１１    電気ー機械振動変換器
１２    被覆材
１３、１４    軸
２０    バンド
２１    前側バンド部
２２    後側バンド部
３０、３１    紐取付け具
４０、４１    紐
４２    球体
５０    足指間装着手段
５１    横方向ガイド軸
５２    切り溝
５３    足指方向ガイド軸
５４    スライド駒
５５    足指付け根部材
５７    ばね
６０    本体後方保持手段
６１    横方向ガイド軸
６２    スライド駒
６４    本体側保持部材
６５    足側保持部材
６７    球体
６９    ばね
【要約】
【課題】小型簡便でどのような姿勢でも使用できると共に、足指間の付け根を確実に刺激でき、八風に優れた効果を奏する足マッサージ器を提供する。
【解決手段】電気ー機械振動変換器１１を内蔵し、足裏１に配置されるマッサージ器１０と、足首２に装着するバンド２０と、このバンド２０の前側に固定され、４本の紐４０が上下動可能に挿通固定することができる紐取付け具３０と、バンド２０の後側に固定され、２本の紐４１が上下動可能に挿通固定することができる紐取付け具３１と、足指間に挿入するように一端側が前記マッサージ器１０の前端側に取付けられ、他端が前側の紐取付け具３０に挿通された４本の紐４０と、足の後方側面に位置するように一端側がマッサージ器１０の後方側に取付けられ、他端が後側の紐取付け具３１に挿通された２本の紐４１とを備えている。
【選択図】      図１【図１】
0004823379.tif 000002
【図２】
0004823379.tif 000003
【図３】
0004823379.tif 000004
【図４】
0004823379.tif 000005
【図５】
0004823379.tif 000006
【図６】
0004823379.tif 000007
【図７】
0004823379.tif 000008